(57)【要約】【課題】  作業性や操作性を向上した折りたたみ式格子を提供する。【解決手段】  中央部の折りたたみ可能なヒンジと、前記開口の梯子取りつけ反対側端の上方に回動可能なヒンジと、梯子取りつけ側に掛け渡される係止プレートと、同梯子取りつけ側両端に設けられるカンヌキ係合孔を有するカンヌキ係合プレートと、前記両端のカンヌキ係合孔に係合し、後端に曲がり端を有するカンヌキ兼用Ｊフック棒と、からなり、前記格子は、前記開口の閉止を止める際には、前記カンヌキ兼用Ｊフック棒の前記曲がり端で中央部の前記ヒンジを上方に持ち上げて、当該格子自体を「へ」の字状に折りたたんで使用される船舶の傾斜梯子海賊対策折りたたみ式格子。【選択図】図１
2020037358.tif 000002
【特許請求の範囲】
【請求項１】
船舶の居住区暴露梯子の張り出し開口を閉止する格子であって、
中央部の折りたたみ可能なヒンジと、
前記開口の梯子取りつけ反対側端の上方に回動可能なヒンジと、
梯子取りつけ側に掛け渡される係止プレートと、
同梯子取りつけ側両端に設けられるカンヌキ係合孔を有するカンヌキ係合プレートと、
前記両端のカンヌキ係合孔に係合し、後端に曲がり端を有するカンヌキ兼用Ｊフック棒と、からなり、
前記格子は、前記開口の閉止を止める際には、前記カンヌキ兼用Ｊフック棒の前記曲がり端で中央部の前記ヒンジを上方に持ち上げて、当該格子自体を「へ」の字状に折りたたんで使用される船舶の傾斜梯子海賊対策折りたたみ式格子。
【発明の詳細な説明】
【技術分野】
【０００１】
本発明は、船舶の居住区暴露張り出し部分開口からの海賊の侵入を阻止する船舶の傾斜梯子海賊対策折りたたみ式格子に関する。
【背景技術】
【０００２】
船舶の海賊の侵入対策として、例えば、本願出願人は、既に、特許第６２９７７２９号公報に開示のものを提案している。
特許第６２９７７２９号公報の開示は、発明名称「船舶の居住区階段構造」に係り、「・・・一段高い位置に配置される居住区の階段については、極めて簡易な改修等によって、容易に船舶居住区への侵入防止を図ることができる船舶の居住区階段構造の提供」を目的とする発明解決課題において（同公報段落番号０００７参照）、「暴露甲板上に所定長の長さのピラーで支えられて所定の高さに配置され、内部に居住区各階に通行可能な内階段を有する居住区棟と、前記暴露甲板から前記居住区棟へ昇降可能な暴露階段と、当該暴露階段に連なり前記居住区棟への通行を確保する居住区デッキと、当該居住区デッキに裁置され、前記暴露階段上端に配置される回動軸を中心に回動することによって前記暴露階段を上から覆って当該暴露階段の塞ぐ階段カバーと、からなる」構成とすることにより（同公報特許請求の範囲の記載等参照）、「船舶の暴露甲板に海賊が侵入してきたとしても、階段を制御器により一括で上げることが可能となり、海賊の居住区への侵入を防ぐことが可能となる効果」を奏するものである（同公報明細書段落番号０００９参照）。
【０００３】
図６、図７は、特許第６２９７７２９号公報に図１及び図２として添付される「船舶の暴露甲板上に配置される居住区への通路階段の配置を示す概略図」及び同「船尾から当該居住区への通路階段を見た概略図」である。図６、図７において、符号１０１は、船舶、１０２は、船側外板、１０３は、暴露甲板、１０４は、居住区、１０５は、操舵室、１０６ａ、１０６ｂ、１０６ｃは、ピラー、１０７、１０７ａ、１０７ｂは、暴露階段である（なお、符号は、先行技術であることを明らかにするために、本願出願人において、３桁に変更して説明した。）。
【０００４】
しかしながら、居住区室内に通じる居住区暴露の張り出し部分に開口を設けた傾斜梯子（「傾斜階段」と同義であり、本明細書においては、「階段」といい、「梯子」の両方を用いるが両者は同じものである。）でも、当該開口部から侵入者が下のデッキから上のデッキへ上がれないようにするために、本願出願人会社は、居住区暴露の張り出し部分に開口する階段開口部に回動可能な格子を設けて、海賊の侵入防止対策としている。
【０００５】
図８は、本願出願人会社の従来の階段開口部格子を上方の階段に固定し開口状態を示す概略側面図であり、図９は、同階段開口部を締め切った状態の概略平面図である。図８、図９において、符号１１０は、居住区暴露甲板（Ａ−Ｄｅｃｋ）であり、１１１は、下方からの階段、１１２は、前記居住区暴露甲板１１０に開口する階段開口部、１１３は、当該階段開口部１１２を閉塞して海賊侵入を防ぐ丸棒でくみ上げた格子である。また、符号１１４ａ、１１４ｂは、ヒンジ、１１５ａ、１１５ｂは、止めプレート、１１６は、つり上げた当該格子１１３を支えるシャックル、１１７ａ、１１７ｂは、開口部閉塞状態を維持し、開けられないようにするチェーン、１１８は、階段脇手すり、１１９は、上方への階段、１２０は、前記シャックル１１６が係合する係合孔である。
【０００６】
図８、図９から明らかなように、当該格子１１３は、前記ヒンジ１１４で回動される大きめの格子１１３ａと,これに一体的に直結する格子１１３ｂとからなり、１枚ものの格子１１３として、一体に連結され、回動する。すなわち、当該開口部１１２を閉止する場合には、１枚ものの当該格子１１３の前記ヒンジ１１４ａ、１１４ｂ及び前記止めプレート１１５ａ、１１５ｂとで、当該開口部１１２の前後を支え、かつ、容易に持ち上げられないように、前記チェーン１１７ａ、１１７ｂで固縛して、前記開口部１１２を塞ぎ侵入者が勝手に侵入することのないようにする。
【０００７】
そして、当該開口部１１２を通行可能にする場合には、前記格子１１３の前記止めプレート１１５ａ、１１５ｂが配置される端部を持ち上げ、前記ヒンジ１１４ａ、１１４ｂを中心に回動させ、前記上方への階段１１９に側面に設けた前記係合孔１２０に前記シャックル１１６を通して、係合・固定し、前記開口部１１２を開けて、下からの前記階段１１１を通行可能にする。
しかしながら、上記格子１１３は、１枚もので構成されていたため、開放時に高さがあり、作業性が悪く、また、作業中に大きな振動が出たり、視界が遮られたりする操作性に問題があった。
【先行技術文献】
【特許文献】
【０００８】
【特許文献１】特許第６２９７７２９号公報
【発明の概要】
【発明が解決しようとする課題】
【０００９】
そこで、本発明は、１枚もので作成される従来の居住区暴露の張り出し部分の階段開口を塞ぐ格子について、作業性や操作性を向上した折りたたみ式格子を提供することを目的とする。
【課題を解決するための手段】
【００１０】
上記課題を解決するために、本願請求項１に係る発明は、船舶の居住区暴露梯子の張り出し開口を閉止する格子であって、中央部の折りたたみ可能なヒンジと、前記開口の梯子取りつけ反対側端の上方に回動可能なヒンジと、梯子取りつけ側に掛け渡される係止プレートと、同梯子取りつけ側両端に設けられるカンヌキ係合孔を有するカンヌキ係合プレートと、前記両端のカンヌキ係合孔に係合し、後端に曲がり端を有するカンヌキ兼用Ｊフック棒と、からなり、前記格子は、前記開口の閉止を止める際には、前記カンヌキ兼用Ｊフック棒の前記曲がり端で中央部の前記ヒンジを上方に持ち上げて、当該格子自体を「へ」の字状に折りたたんで使用される船舶の傾斜梯子海賊対策折りたたみ式格子。
【発明の効果】
【００１１】
格子を折りたたみ式にしたので、開けたときにコンパクトになる。への字の折りたたみ式の当該格子の中央部の頂点を引っ張る際に、当該格子を固定するカンヌキとして使用する部材を長尺のフック形状として、フックをカンヌキとで兼用したため、簡易に引き上げ収納が容易となる効果を有する。 
【図面の簡単な説明】
【００１２】
【図１】図１は、本実施例１に係る船舶の傾斜梯子海賊対策折りたたみ式格子の概略を示す斜視図である。
【図２】図２は、同側面図である。
【図３】図３は、本実施例１に係る船舶の傾斜梯子海賊対策折りたたみ式格子１の開口閉止の際のカンヌキ兼用Ｊフック棒の概略図である。
【図４】図４は、このような前記カンヌキ兼用Ｊフック棒５の前記曲がり端１２を前記ヒンジ２ａ、２ｂ付近の丸棒に引っかけて上方に引き、前記ヒンジ３ａ、３ｂを回動させつつ、当該格子１をへの字状に折り曲げて閉止を解除する状況の概略を示す図である。
【図５】図５は、本実施例１に係る船舶の傾斜梯子海賊対策折りたたみ式格子１の折り曲げ起立させて前記周囲柵１０ｂで固定する状態を示す概略図である。
【図６】図６は、特許第６２９７７２９号公報に図１として添付される船舶の暴露甲板上に配置される居住区への通路階段の配置を示す概略図である。
【図７】図７は、特許第６２９７７２９号公報に図２として添付される同船舶の当該居住区の通路階段を上から見た概略図である。
【図８】図８は、本願出願人会社の従来の階段開口部格子を上方の階段に固定し開口状態を示す概略側面図である。
【図９】図９は、同階段開口部を締め切った状態の概略平面図である。
【発明を実施するための形態】
【００１３】
本発明に係る船舶の傾斜梯子海賊対策折りたたみ式格子の実施例１を図面に基づいて詳細に説明する。
【実施例１】
【００１４】
図１は、本実施例１に係る船舶の傾斜梯子海賊対策折りたたみ式格子の概略を示す斜視図であり、図２は、その側面図である。いずれも船舶の居住区暴露梯子張り出し部分開口の閉止状態を示している。また、図３は、本実施例１に係る船舶の傾斜梯子海賊対策折りたたみ式格子１の開口閉止の際のカンヌキ兼用Ｊフック棒の概略図である。
【００１５】
図１、図２、図３において、符号１１２は、船舶居住区暴露梯子張り出し部分開口であり、符号１は、本実施例１に係る船舶の傾斜梯子海賊対策折りたたみ式格子１であり、従来と同様に、大きめの格子１ａと小さめの格子１ｂからなる。また、符号２ａ、２ｂは、前記格子１ａと格子１ｂとの間の回動ヒンジ、３ａ、３ｂは、格子１ａの前記開口１１２の端部に係合して当該格子１（１ａ、１ｂ）を上方に持ち上げ可能な回動ヒンジ、４ａ、４ｂは、係止プレート、５は、カンヌキ兼用Ｊフック棒、６ａ、６ｂは、カンヌキ係合プレート、７ａ、７ｂは、前記カンヌキ兼用Ｊフック棒５が係合する係合孔、８は、後述の前記カンヌキ兼用Ｊフック棒５の固縛孔、９ａ、９ｂは、左右手摺り、１０ａ、１０ｂ、１０ｃは、前記開口１１２の周囲柵、１１ａ、１１ｂは、前記カンヌキ兼用Ｊフック棒５の収納フック、１２は、前記カンヌキ兼用Ｊフック棒５の曲がり端、１３は、フック棒５の固縛孔である。
【００１６】
図１〜図３から明らかなように、本実施例１に係る船舶の傾斜梯子海賊対策折りたたみ式格子１は、船舶居住区暴露張り出し部分開口１１２を閉止する丸棒とパイプを組み合わせて作成される。しかしながら、従来と異なり、前記開口１１２を閉止する際には、平坦に前記開口１１２の前後に掛け渡され、当該開口１１２を閉止する。そして、閉止する際には、前記カンヌキ兼用Ｊフック棒５を前記カンヌキ係合プレート６ａ、６ｂの前記係合孔７ａ、７ｂに係合させ、しかる後、当該カンヌキ兼用Ｊフック棒５の固縛孔１３と前記カンヌキ係合プレート６ａの固縛孔８の間に南京錠（図示外）等固定し,容易に外されないようにする。
【００１７】
一方、前記開口１１２の閉止を止めて通行可能とするには、南京錠等を外して、前記カンヌキ兼用Ｊフック棒５を抜き取り、ついで、当該カンヌキ兼用Ｊフック棒５の前記曲がり端１２を前記ヒンジ２ａ、２ｂ付近の丸棒に引っかけて上方に引き、前記ヒンジ３ａ、３ｂを回動させつつ、当該格子１をへの字状に折り曲げて閉止を解除する。
【００１８】
図４は、このような前記カンヌキ兼用Ｊフック棒５の前記曲がり端１２を前記ヒンジ２ａ、２ｂ付近の丸棒に引っかけて上方に引き、前記ヒンジ３ａ、３ｂを回動させつつ、当該格子１をへの字状に折り曲げて閉止を解除する状況の概略を示す図である。図４において、符号は、図１〜図３と同じであり、同じ符号は同じ部材を示している。
【００１９】
また、図５は、本実施例１に係る船舶の傾斜梯子海賊対策折りたたみ式格子１の折り曲げ起立させて前記周囲柵１０ｂで固定する状態を示す概略図であり、図５において、１５ａ、１５ｂは、本実施例１に係る船舶の傾斜梯子海賊対策折りたたみ式格子１の折り曲げ起立後に固定するＵボルト・蝶ナットである。
【００２０】
船舶居住区暴露張り出し部分開口１１２を通行可能に本実施例１に係る船舶の傾斜梯子海賊対策折りたたみ式格子１を折り曲げ起立させて前記周囲柵１０ｂに固定するには、図４に示すように、前記カンヌキ兼用Ｊフック棒５を抜き取り、当該カンヌキ兼用Ｊフック棒５の曲がり端１２を前記ヒンジ２ａ、２ｂ間のパイプに引っかけて上方に引き、前記ヒンジ３ａ、３ｂを回動させつつ、当該格子１をへの字状に折り曲げて閉止を解除し、しかる後、図５に示すように、折り曲げた格子１を前記周囲柵１０ｂに沿って起立させ、周囲柵に引っかけておいた前記Ｕボルト・蝶ナット１５ａ、１５ｂで格子１の適宜の丸棒を前記周囲柵１０ｂに固定する。なお、使用後の前記カンヌキ兼用Ｊフック棒５は、前記周囲柵１０ｂの外側のパイプに配置した二つの前記収納フック１１ａ、１１ｂに挿入に立てかける。
【００２１】
本実施例１に係る船舶の傾斜梯子海賊対策折りたたみ式格子１では、海賊の侵入のおそれがないときには、同格子１を折り曲げ起立した状態で船舶居住区暴露張り出し部分開口１１２を通行可能状態で航行し、海賊侵入の危険が生じた際には、図１〜図３に示すように、当該船舶居住区暴露張り出し部分開口１１２を閉止して海賊の侵入を防ぐことができる。
【００２２】
このように、本実施例１に係る船舶の傾斜梯子海賊対策折りたたみ式格子１では、２つ折りの折りたたみ式としたので、開けたときにコンパクトに収まり、また、２つ折りとしたので、各部材の移動距離が短くなり、操作性に優れたものとすることができる。さらに、本実施例１に係る船舶の傾斜梯子海賊対策折りたたみ式格子１では、への字型に折りたたむ際に、への字の頂点を引っ張り上げるのに、常時は、周囲柵１０ｂの収納フック１１ａ、１１ｂに収納しておく前記カンヌキ兼用Ｊフック棒５を収納フック１１ａ、１１ｂから抜き取り、本実施例１に係る船舶の傾斜梯子海賊対策折りたたみ式格子１を引き延ばした後に、このカンヌキ兼用Ｊフック棒５をカンヌキとして使用するので、開口１１２の閉止に周囲にある部材だけで開口１１２の閉止することができ、緊急性に対応できることとなる。
【００２３】
そして、開口１１２の閉止の際には、このカンヌキ兼用Ｊフック棒５を用いて格子１のヒンジ２ａ、２ｂを引き上げ、折り曲げる動作に繋げたので、折り曲げ起立に対しても速やかに対応することができることとなる。すなわち、開放時に使用するフックと、閉鎖時のカンヌキの兼用の治具としたので、置き場等収納や使用の際に緊急に対応できることとなる。
【産業上の利用可能性】
【００２４】
本発明は、船舶の居住区暴露張り出し部分開口からの海賊の侵入を阻止する船舶の傾斜梯子海賊対策折りたたみ式格子に利用される。
【符号の説明】
【００２５】
１、１ａ、１ｂ 実施例１に係る船舶の傾斜梯子海賊対策折りたたみ式格子
２ａ、２ｂ ヒンジ
３ａ、３ｂ ヒンジ
４ａ、４ｂ 係止プレート
５ カンヌキ兼用Ｊフック棒
６ａ、６ｂ カンヌキ係合プレート
７ａ、７ｂ 係合孔
８ 固縛孔
９ａ、９ｂ 左右手摺り
１０ａ、１０ｂ、１０ｃ 周囲柵
１１ａ、１１ｂ 収納フック
１２ 曲がり端
１３ 固縛孔
１５ａ、１５ｂ 蝶ナット及びＵボルト
１０１ 船舶
１０２ 船側外板
１０３ 暴露甲板
１０４ 居住区
１０５ 操舵室
１０６ａ、１０６ｂ、１０６ｃ ピラー
１０７、１０７ａ、１０７ｂ 暴露階段
１１０ 居住区暴露甲板
１１１ 下方からの階段
１１２ 階段開口部
１１３、１１３ａ、１１３ｂ 階段開口部閉止格子
１１４ａ、１１４ｂ ヒンジ
１１５ａ、１１５ｂ 止めプレート
１１６ シャックル
１１７ａ、１１７ｂ チェーン
１１８ 階段脇手すり
１１９ 上方への階段
１２０ 係合孔
【図１】
2020037358.tif 000003
【図２】
2020037358.tif 000004
【図３】
2020037358.tif 000005
【図４】
2020037358.tif 000006
【図５】
2020037358.tif 000007
【図６】
2020037358.tif 000008
【図７】
2020037358.tif 000009
【図８】
2020037358.tif 000010
【図９】
2020037358.tif 000011